(57)【特許請求の範囲】
【請求項１】
携帯端末と、
乗りかご、前記乗りかごの動作を制御するエレベータ制御部、および前記携帯端末から送信された所定の呼び登録に関するデータ信号を受信した場合に前記乗りかごの呼び登録を行う呼び登録装置、を備えるエレベータと、を具備したエレベータシステムにおいて、
前記エレベータの呼び登録装置は、
前記携帯端末との間でデータ信号の送受信を行う送受信部と、
前記送受信部が発した電波の強度を前記携帯端末が測定し、測定した当該電波の強度に関するデータ信号を前記携帯端末から電波強度基準値登録指令信号として前記送受信部が受信した場合に、受信した当該データ信号中の前記電波の強度を電波強度基準値として格納する電波強度格納部と、
前記携帯端末から送信された所定の呼び登録に関するデータ信号とともに前記電波の強度に関するデータ信号を呼び登録指令信号として前記送受信部にて受信し、かつ、当該データ信号中の前記電波の強度が前記電波強度基準値以上の場合に、前記エレベータ制御部に対して前記乗りかごの呼び登録を指令する呼び登録指令部と、
を有することを特徴とするエレベータシステム。
【請求項２】
請求項１記載のエレベータシステムにおいて、
前記携帯端末は、前記電波の強度に関するデータ信号とともに前記呼び登録に関するデータ信号を送信する
ことを特徴とするエレベータシステム。
【請求項３】
請求項１記載のエレベータシステムにおいて、
前記呼び登録装置にて前記乗りかごの呼び登録が行われた場合に、前記乗りかごを停止させる位置に設けられたエレベータホールと、
前記エレベータホールに設置され前記乗りかごとの間を閉塞するエレベータドアと、を備え、
前記電波強度基準値は、前記エレベータホールの形状、および前記エレベータドアからの距離に基づいて定められる
ことを特徴とするエレベータシステム。
【請求項４】
請求項１記載のエレベータシステムにおいて、
前記携帯端末は、前記エレベータの呼び登録に関するアプリケーションが予めインストールされ、
前記アプリケーションは、前記エレベータの呼び登録装置の送受信部との間のデータ通信が確立した場合に、前記送受信部が発した電波の強度を測定し、測定した当該電波の強度に関するデータ信号とともに、前記呼び登録に関するデータ信号を送信する
ことを特徴とするエレベータシステム。
【請求項５】
乗りかご、および前記乗りかごの動作を制御するエレベータ制御部を備えるエレベータの前記乗りかごの呼び登録を行い、携帯端末から送信された所定の呼び登録に関するデータ信号を受信した場合に、前記乗りかごの呼び登録を行う呼び登録装置において、
前記携帯端末との間でデータ信号の送受信を行う送受信部と、
前記送受信部が発した電波の強度を前記携帯端末が測定し、測定した当該電波の強度に関するデータ信号を前記携帯端末から電波強度基準値登録指令信号として前記送受信部が受信した場合に、受信した当該データ信号中の前記電波の強度を電波強度基準値として格納する電波強度格納部と、
前記携帯端末から送信された所定の呼び登録に関するデータ信号とともに前記電波の強度に関するデータ信号を呼び登録指令信号として前記送受信部にて受信し、かつ、当該データ信号中の前記電波の強度が前記電波強度基準値以上の場合に、前記エレベータ制御部に対して前記乗りかごの呼び登録を指令する呼び登録指令部と、
を有することを特徴とするエレベータの呼び登録装置。
【請求項６】
乗りかご、および前記乗りかごの動作を制御するエレベータ制御部を備えるエレベータの前記乗りかごの呼び登録を行い、携帯端末から送信された所定の呼び登録に関するデータ信号を送受信部にて受信した場合に、前記乗りかごの呼び登録を行う呼び登録方法において、
前記送受信部が発した電波の強度を前記携帯端末が測定し、測定した当該電波の強度に関するデータ信号を前記携帯端末から電波強度基準値登録指令信号として前記送受信部が受信した場合に、受信した当該データ信号中の前記電波の強度を電波強度基準値として格納し、
前記携帯端末から送信された所定の呼び登録に関するデータ信号とともに前記電波の強度に関するデータ信号を呼び登録指令信号として前記送受信部にて受信し、かつ、当該データ信号中の前記電波の強度が前記電波強度基準値以上の場合に、前記エレベータ制御部に対して前記乗りかごの呼び登録を指令する
を有することを特徴とするエレベータの呼び登録方法。
【発明の詳細な説明】
【技術分野】
【０００１】
本発明は、携帯端末から送信された呼び登録に関するデータ信号を受信した場合に乗りかごの呼び登録を行うエレベータシステム、エレベータの呼び登録装置、およびエレベータの呼び登録方法に関する。
【背景技術】
【０００２】
本技術分野の背景技術として、特開２００３−２２６４７３号公報（特許文献１）がある。この公報には、「エレベーターからの距離が近い通信エリアまたは遠い通信エリアといったように、少なくとも２つ以上の異なる通信エリアでの受信が可能なように受信強度を切り換え、各通信エリア内に乗客が入った場合に、当該乗客の個人情報端末１０からＩＤ情報を受信する受信装置２００と、受信装置２００により受信されたＩＤ情報に基づいて、個人情報端末１０を携帯する乗客の位置情報および移動情報を検出する乗客検出部３１と、検出された位置情報および移動情報に基づいて、かご呼び登録を行う呼び登録部３２と、かご呼び登録に基づいて、エレベーターの動作を制御するかご制御部３３とを備えている。」と記載されている（要約参照）。
【先行技術文献】
【特許文献】
【０００３】
【特許文献１】特開２００３−２２６４７３号公報
【発明の概要】
【発明が解決しようとする課題】
【０００４】
近年のデータ通信は、無線通信が主流となっており、エレベータの利用者が所有する携帯端末（個人情報端末）とエレベータとの間でのデータ通信にも無線通信が適用されつつある。前記特許文献１は、エレベータの呼び登録を行う呼び登録部の近傍の任意の位置において、個人情報端末と呼び登録部との間の無線通信によってエレベータの呼び登録を行う。
【０００５】
しかしながら、前記特許文献１に記載の技術は、エレベータからの距離が近い通信エリアまたは遠い通信エリアの少なくとも２つ以上の異なる通信エリアでの受信が可能となるように、受信装置が複数の受信強度を連続的に切り換えており、受信装置にて連続的に受信強度を切り換えながら、個人情報端末から発信された電波の受信状況に基づいて、個人情報端末（乗客）の位置情報および移動情報を検出し、これら位置情報および移動情報に基づいて、かご呼び登録を行うようにしている。
【０００６】
電波は、遮蔽物によって到達距離が減衰する特性を有している。したがって、前記特許文献１に記載の技術では、例えばエレベータの乗り場釦のケース内や、壁内に埋め込まれるように受信装置が設置されている場合に、壁の材質や厚さ等によって、受信装置にて受信可能な通信エリアが大きく変化してしまう。
【０００７】
具体的には、電波を通しにくい性質を有するコンクリート等にて形成された壁内に遮蔽されて受信装置が設置されている場合、電波の到達距離が短くなる。このため、受信装置にて受信可能な通信エリアが小さくなってしまい、個人情報端末の位置情報および移動情報を正確に特定できないという問題がある。
【０００８】
逆に、電波を通しやすい性質を有するガラス等にて形成された壁内に遮蔽されて受信装置が設置されている場合は、電波の到達距離が長くなるため、受信装置にて受信可能な通信エリアが大きくなり、例えば個人情報端末がエレベータ付近を通り過ぎただけでも、受信装置が個人情報端末のＩＤ情報を受信してしまい、かご呼び登録が行われてしまうおそれがあり、不必要なエレベータのかご呼び登録が頻発し、エレベータの無駄な運転が生じ、エレベータの運転効率を低下させてしまうという問題がある。
【０００９】
そこで、本発明は、呼び登録装置の設置環境に影響を受けることなく、乗りかごの呼び登録を確実に行うことができるエレベータシステム、エレベータの呼び登録装置、およびエレベータの呼び登録方法を提供する。
【課題を解決するための手段】
【００１０】
上記課題を解決するために、本発明は、携帯端末と、乗りかご、前記乗りかごの動作を制御するエレベータ制御部、および前記携帯端末から送信された所定の呼び登録に関するデータ信号を受信した場合に前記乗りかごの呼び登録を行う呼び登録装置、を備えるエレベータと、を具備したエレベータシステムにおいて、前記エレベータの呼び登録装置は、前記携帯端末との間でデータ信号の送受信を行う送受信部と、前記送受信部が発した電波の強度を前記携帯端末が測定し、測定した当該電波の強度に関するデータ信号を前記携帯端末から電波強度基準値登録指令信号として前記送受信部が受信した場合に、受信した当該データ信号中の前記電波の強度を電波強度基準値として格納する電波強度格納部と、前記携帯端末から送信された所定の呼び登録に関するデータ信号とともに前記電波の強度に関するデータ信号を呼び登録指令信号として前記送受信部にて受信し、かつ、当該データ信号中の前記電波の強度が前記電波強度基準値以上の場合に、前記エレベータ制御部に対して前記乗りかごの呼び登録を指令する呼び登録指令部と、を有する。
【発明の効果】
【００１１】
本発明は、呼び登録装置の設置環境に影響を受けることなく、乗りかごの呼び登録を確実に行うことができるエレベータシステム、エレベータの呼び登録装置、およびエレベータの呼び登録方法を提供することができる。そして、上記した以外の課題、構成および効果は、以下の実施形態の説明により明らかにされる。
【図面の簡単な説明】
【００１２】
【図１】本発明に係るエレベータシステムの一実施形態に関し、呼び登録状態を示すエレベータ乗り場および昇降路の概略縦断面図である。
【図２】上記エレベータシステムの呼び登録装置および携帯端末の要部構成を示すブロック図である。
【図３】上記呼び登録装置および携帯端末による初期設定動作を示すフローチャートである。
【図４】上記呼び登録装置および携帯端末によるエレベータの呼び登録動作を示すフローチャートである。
【発明を実施するための形態】
【００１３】
以下、本発明に係るエレベータシステムの一実施形態を図に基づいて説明する。
【００１４】
図１は、本発明に係るエレベータシステムの一実施形態に関し、呼び登録状態を示すエレベータホールおよび昇降路の概略縦断面図である。図２は、エレベータシステムの呼び登録装置および携帯端末の要部構成を示すブロック図である。
【００１５】
図１および図２において、本発明に係るエレベータシステムは、エレベータ１と、携帯端末２０とで構成される。エレベータ１は、乗客（人）や荷物を乗せる乗りかご２と、乗りかご２の動作を制御するエレベータ制御部３と、携帯端末２０との間でデータ通信を行い乗りかご２の呼び登録を行う呼び登録装置１０とを備える。乗りかご２は、主ロープ４の一端に連結されている。主ロープ４は、滑車であるシーブ５の上側に掛けてられて取り付けられ、その他端に釣合おもり６が取り付けられている。乗りかご２は、主ロープ４にて吊り下げ支持され、シーブ５を回転駆動させるモータ７の駆動制御によって、主ロープ４が上下に可動して、乗りかご２が上下に可動する。
【００１６】
エレベータ制御部３は、建物の昇降路８内に設置されている。エレベータ制御部３は、乗りかご２を上下駆動させるモータ７の回転を制御し、モータ７の回転に従動するシーブ５の回転によって、シーブ５に掛かる主ロープ４を上下に可動させ、主ロープ４の一端が接続された乗りかご２の上下動を制御する。エレベータ制御部３は、建物内の所定の階のエレベータホール９に設置された呼び登録釦１１が押される等して、呼び登録装置１０からの呼び登録信号の受信により、呼び登録釦１１が押されたエレベータホール９の階床に乗りかご２を着床させる制御を行う。エレベータホール９は、呼び登録装置１０にて乗りかご２の呼び登録が行われた場合に、乗りかご２を停止させる位置に設けられたエレベータ乗り場である。
【００１７】
エレベータホール９と昇降路８とを仕切るように壁１２が設置されている。壁１２は、板状のボードで、例えば石膏、コンクリート、鉄、木、ガラスなどの材質で形成され、階床やエレベータ１の仕様等によって様々な構成となっている。壁１２には、エレベータホール９と乗りかご２との間を乗り降り可能に閉塞するエレベータドア１３と、エレベータ１の利用者が乗りかご２の呼び登録を行う際に押下する呼び登録釦１１と、呼び登録装置１０とが設置されている。エレベータドア１３は、エレベータホール９に設置され乗りかご２との間を閉塞する。
【００１８】
図１に示すように、電波受信強度Ｓは、呼び登録装置１０が発する電波を携帯端末２０が受信したときの電波の強度であり、数値で示される。携帯端末２０は、計測した電波受信強度Ｓの値を呼び登録装置１０へ送信する。呼び登録装置１０は、予め定めた第１電波強度、例えば３０ｄＢ以上の値の電波受信強度Ｓを携帯端末２０から受信した場合に、乗りかご２の呼び登録を行う。
【００１９】
電波受信強度Ｓは、エレベータ１が設置される現場毎、例えばエレベータホール９の形状、エレベータ１の仕様、壁１２の材質等の設置環境に応じた距離Ｄに基づいて設定される所定の基準値である電波強度基準値としての「呼び登録基準値」である。具体的に、電波受信強度Ｓは、エレベータホール９に設置されたエレベータドア１３と携帯端末２０との間の距離Ｄが、例えば３ｍとなった場合に、携帯端末２０を所持する利用者Ｃが、単にエレベータホール９を通過するのではなく、エレベータ１に向かっている（エレベータ１を利用する）と合理的かつ確実に判断できる数値である。
【００２０】
よって、呼び登録基準値となる電波受信強度Ｓの値は、エレベータホール９の形状、エレベータ１の仕様、壁１２の材質等の設置環境、およびエレベータホール９に設置されたエレベータドア１３と携帯端末２０との間の距離Ｄに基づいて設定される。
【００２１】
呼び登録装置１０は、携帯端末２０から送信された所定の呼び登録に関するデータ信号を受信した場合に、乗りかご２の呼び登録を行う。呼び登録装置１０は、呼び登録指令部１０ａと、送受信部１０ｂと、通信指令部１０ｃと、記憶部１０ｄと、電波強度格納部１０ｅと、電波強度比較判定部１０ｆと、制御部１０ｇとを備える。呼び登録指令部１０ａは、エレベータ制御部３に対して乗りかご２の呼び登録を指令する。送受信部１０ｂは、携帯端末２０の送受信部２０ｂとの間で無線通信にてデータ信号の送受信を行う。通信指令部１０ｃは、携帯端末２０との間の通信確立信号の送受信を行う。
【００２２】
電波強度格納部１０ｅは、携帯端末２０から送信された電波強度基準値登録指令信号を送受信部１０ｂにて受信し、この受信した電波強度基準値登録指令信号中の電波受信強度Ｓの値を、呼び登録基準値として記憶部１０ｄに格納する。電波強度比較判定部１０ｆは、携帯端末２０から受信した電波受信強度Ｓのうちの、２つの電波受信強度Ｓの値の大小を比較判定する。制御部１０ｇは、エレベータ制御部３に接続され、呼び登録指令部１０ａ、送受信部１０ｂ、通信指令部１０ｃ、電波強度格納部１０ｅおよび電波強度比較判定部１０ｆそれぞれの動作を制御する。
【００２３】
携帯端末２０は、呼び登録指令部２０ａと、送受信部２０ｂと、通信指令部２０ｃと、電波強度計測部２０ｄと、電波強度基準値登録指令部２０ｅと、操作部２０ｆと、制御部２０ｇとを備える。送受信部２０ｂは、所定の電波を送受信する。通信指令部２０ｃは、呼び登録装置１０に対して通信確立信号を送信する。電波強度計測部２０ｄは、呼び登録装置１０の送受信部１０ｂと送受信部２０ｂとで無線通信を行った際の通信指令信号の電波受信強度Ｓの値を計測する。電波強度基準値登録指令部２０ｅは、制御部２０ｇによる制御によって電波強度計測部２０ｄが計測した電波受信強度Ｓの値とともに、操作部２０ｆの操作にて登録した電波強度基準値のそれぞれを情報として付与したデータ信号である電波強度基準値登録指令信号を呼び登録装置１０へ送信する。
【００２４】
呼び登録指令部２０ａは、制御部２０ｇによる制御によって電波強度計測部２０ｄが計測した電波受信強度Ｓの値を情報として付与した乗りかご２の呼び登録に関するデータ信号である呼び登録指令信号を呼び登録装置１０へ送信する。操作部２０ｆは、所定の操作により、電波強度基準値を携帯端末２０に登録する。制御部２０ｇは、呼び登録指令部２０ａ、送受信部２０ｂ、通信指令部２０ｃ、電波強度計測部２０ｄ、電波強度基準値登録指令部２０ｅ、および操作部２０ｆそれぞれの動作を制御する。
【００２５】
携帯端末２０は、図３においてはエレベータ１の点検を行う保守員である利用者Ｃが所有し、図４においてはエレベータ１を利用する一般の利用者Ｃが所有するものであって、エレベータホール９に存在する場合を想定している。図１に示すように、距離Ｄは、携帯端末２０と呼び登録装置１０との間の間隔であり、利用者Ｃが乗りかご２の呼び登録を行いたい境界の距離であって、例えば３ｍと設定されている。
【００２６】
携帯端末２０は、演算器（ＣＰＵ）、メモリ、入出力回路等からなるコンピュータ装置にて実現される。呼び登録指令部２０ａ、通信指令部２０ｃ、電波強度計測部２０ｄ、電波強度基準値登録指令部２０ｅおよび制御部２０ｇは、携帯端末２０に記憶させたソフトウェアにて実現される。これらソフトウェアは、いわゆるスマートフォンや、スマートデバイス、タブレットＰＣ等の携帯可能な情報端末用の呼び登録アプリケーションとして、例えばインターネット等のネットワーク上で配信される。携帯端末２０を用いたエレベータ１の呼び登録に関するサービスを必要とする利用者Ｃは、所定のアプリケーションを、所有する携帯端末２０に予めインストールしている。携帯端末２０の操作部２０ｆは、携帯端末２０に設けられた液晶ディスプレイ２０ｈ上のタッチパネル操作用の釦やソフトキーボード等で実現される。
【００２７】
次に、保守員である利用者Ｃが、携帯端末２０を使用して呼び登録装置１０の初期設定方法について、図３を参照して説明する。
【００２８】
図３は、呼び登録装置１０および携帯端末２０による初期設定動作を示すフローチャートである。図３においては、呼び登録装置１０の処理手順と、携帯端末２０の処理手順とを対応させて示している。
【００２９】
図３に示すように、利用者Ｃが携帯端末２０に予めインストールされた呼び登録アプリケーションを起動すると、携帯端末２０の通信指令部２０ｃが送受信部２０ｂを介して、通信指令信号を送信する（ＳＡ３０１）。このとき、呼び登録装置１０は、携帯端末２０からの通信指令信号の受信を待ち受けており（ＳＢ３０１）、携帯端末２０から通信指令信号を受信するまで、携帯端末２０からの通信指令信号の受信動作を繰り返している（ＳＢ３０１／ＮＯ）。
【００３０】
携帯端末２０から通信指令信号を受信すると（ＳＢ３０１／ＹＥＳ）、呼び登録装置１０の制御部１０ｇは、携帯端末２０との通信が確立したと認識し、呼び登録装置１０が通信指令信号を受信し携帯端末２０との通信が確立したことを携帯端末２０に知らす通信指令信号を、呼び登録装置１０の送受信部１０ｂから送信（返信）する（ＳＢ３０２）。呼び登録装置１０の送受信部１０ｂから送信する通信指令信号は、呼び登録装置１０が携帯端末２０から受信した通信指令信号と同一である。
【００３１】
通信指令信号を送信した携帯端末２０は、呼び登録装置１０から送信されてくる通信指令信号の受信を待ち受けており（ＳＡ３０２）、呼び登録装置１０からの通信指令信号を、予め定めた所定時間を経過しても受信しない場合（ＳＡ３０２／ＮＯ）、上記ＳＡ３０１へ戻り、再度、携帯端末２０から通信指令信号を送信する。一方、携帯端末２０は、呼び登録装置１０からの通信指令信号を受信すると（ＳＡ３０２／ＹＥＳ）、呼び登録装置１０との間のデータ通信（無線通信）が確立したと制御部２０ｇにて認識する。
【００３２】
上記ＳＡ３０１、ＳＡ３０２、ＳＢ３０１、ＳＢ３０２の処理は、呼び登録装置１０および携帯端末２０それぞれにおいて通信が確立したと認識するまで繰り返し行われ、呼び登録装置１０および携帯端末２０間における無線通信処理を開始する際に、必ず行われる。
【００３３】
その後、保守員である利用者Ｃは、携帯端末２０を用いて乗りかご２の呼び登録を行う位置（距離Ｄ）を決め、その位置で携帯端末２０を所持して待機する。このときの呼び登録装置１０と携帯端末２０との間の距離Ｄを、例えば３ｍとし、この距離Ｄの値は、携帯端末２０を所持する利用者Ｃが現場毎に定める。
【００３４】
次いで、利用者Ｃは、携帯端末２０の操作部２０ｆを用いて所定の操作を行い、電波強度基準値を携帯端末２０に登録する。携帯端末２０の制御部２０ｇは、操作部２０ｆの所定の操作による電波強度基準値の登録を待ち受けており（ＳＡ３０３）、操作部２０ｆによる電波強度基準値の登録操作がない場合（ＳＡ３０３／ＮＯ）、上記ＳＡ３０１へ戻り、再度、携帯端末２０から通信指令信号を送信する。
【００３５】
操作部２０ｆによる電波強度基準値の登録操作が行われた場合（ＳＡ３０３／ＹＥＳ）、携帯端末２０の電波強度計測部２０ｄが、直近に受信した通信指令信号の電波受信強度Ｓを計測する（ＳＡ３０４）。携帯端末２０の電波強度基準値登録指令部２０ｅは、ＳＡ３０４にて計測した電波受信強度Ｓの値とともに、上記ＳＡ３０３にて登録した電波強度基準値を、電波強度基準値登録指令信号として送受信部２０ｂから送信する（ＳＡ３０５）。
【００３６】
このとき、呼び登録装置１０は、携帯端末２０からの電波強度基準値登録指令信号の受信を待ち受けており（ＳＢ３０３）、携帯端末２０から電波強度基準値登録指令信号を受信できない場合（ＳＢ３０３／ＮＯ）、制御部１０ｇが経過時間のカウントを開始する（ＳＢ３０４）。
【００３７】
ＳＢ３０４による経過時間のカウントが、予め定めた所定時間を経過しない場合は（ＳＢ３０４／ＮＯ）、上記ＳＢ３０３へ戻り、再度、携帯端末２０からの電波強度基準値登録指令信号の受信を待ち受ける。一方、ＳＢ３０４による経過時間のカウントが、予め定めた所定時間を経過した場合は（ＳＢ３０４／ＹＥＳ）、呼び登録装置１０による携帯端末２０からの呼び登録処理を終了する。
【００３８】
呼び登録装置１０の送受信部１０ｂにて、携帯端末２０から送信された電波強度基準値登録指令信号を受信した場合は（ＳＢ３０３／ＹＥＳ）、呼び登録装置１０の電波強度格納部１０ｅにより、電波強度基準値登録指令信号中の電波受信強度Ｓの値を、呼び登録基準値として記憶部１０ｄに格納する（ＳＢ３０５）。この後、呼び登録装置１０は、記憶部１０ｄへ呼び登録基準値を登録したことを示す格納完了信号を送信し（ＳＢ３０６）、呼び登録装置１０による初期設定処理を終了する。
【００３９】
携帯端末２０の制御部２０ｇは、呼び登録装置１０から送信されてくる格納完了信号の受信を待ち受けており（ＳＡ３０６）、呼び登録装置１０からの格納完了信号を受信しない場合（ＳＡ３０６／ＮＯ）、このＳＡ３０６の処理を繰り返す。一方、携帯端末２０の制御部２０ｇは、呼び登録装置１０から格納完了信号を受信すると（ＳＡ３０６／ＹＥＳ）、携帯端末２０による初期設定処理を終了する。
【００４０】
次に、エレベータ１を利用する一般の利用者Ｃが、携帯端末２０を使用してエレベータ１の呼び登録を行う方法について、図４を参照して説明する。
【００４１】
図４は、呼び登録装置１０および携帯端末２０によるエレベータ１の呼び登録動作を示すフローチャートである。図４においては、呼び登録装置１０の処理手順と、携帯端末２０の処理手順とを対応させて示している。なお、図３に示す初期設定時を行う際の動作と共通する処理については、その説明を省略する。
【００４２】
図４に示すように、利用者Ｃが携帯端末２０の呼び登録アプリケーションを起動すると、携帯端末２０の通信指令部２０ｃが通信指令信号を送信する（ＳＣ４０１）。このとき、呼び登録装置１０は、携帯端末２０からの通信指令信号の受信を待ち受けており（ＳＤ４０１）、携帯端末２０から通信指令信号を受信するまで、携帯端末２０からの通信指令信号の受信動作を繰り返している（ＳＤ４０１／ＮＯ）。携帯端末２０から通信指令信号を受信すると（ＳＤ４０１／ＹＥＳ）、呼び登録装置１０の制御部１０ｇは、携帯端末２０との通信が確立したと認識し、通信指令信号を返信する（ＳＤ４０２）。
【００４３】
携帯端末２０は、呼び登録装置１０からの通信指令信号の受信を待ち受けており（ＳＣ４０２）、予め定めた所定時間を経過しても、呼び登録装置１０から通信指令信号を受信しない場合（ＳＣ４０２／ＮＯ）、上記ＳＣ４０１へ戻る。携帯端末２０は、呼び登録装置１０から通信指令信号を受信すると（ＳＣ４０２／ＹＥＳ）、呼び登録装置１０との通信が確立したと認識する。
【００４４】
上記ＳＣ４０１、ＳＣ４０２、ＳＤ４０１、ＳＤ４０２の処理もまた、呼び登録装置１０および携帯端末２０それぞれにおいて通信が確立したと認識するまで繰り返し行われ、呼び登録装置１０および携帯端末２０間における無線通信処理を開始する際に、必ず行われる。
【００４５】
その後、利用者Ｃは、エレベータ１の乗りかご２に乗り込むために、エレベータホール９に設置されている呼び登録装置１０に近づいていく。このとき、携帯端末２０の電波強度計測部２０ｄが、直近に受信した通信指令信号の電波受信強度Ｓを計測する（ＳＣ４０３）。携帯端末２０の電波強度基準値登録指令部２０ｅは、ＳＣ４０３にて計測した電波受信強度Ｓの値とともに、乗りかご２の呼び登録に関するデータ信号を、呼び登録指令信号として送受信部２０ｂから送信する（ＳＣ４０４）。
【００４６】
携帯端末２０は、ＳＣ４０４での呼び登録指令信号の送信時から、予め定めた所定時間、例えば０．１秒間待機した後（ＳＣ４０５）、呼び登録装置１０からの呼び登録完了信号の受信を待ち受ける（ＳＣ４０６）。携帯端末２０が呼び登録完了信号を受信できない場合（ＳＣ４０６／ＮＯ）、上記ＳＣ４０１へ戻り、再度、携帯端末２０から通信指令信号を送信する。よって、ＳＣ４０６にて呼び登録完了信号を受信できない場合は、０．１秒間隔で、上記ＳＣ４０１〜ＳＣ４０４の処理を繰り返す。一方、携帯端末２０の制御部２０ｇは、呼び登録装置１０から呼び登録完了信号を受信すると（ＳＣ４０６／ＹＥＳ）、携帯端末２０による呼び登録処理を終了する。
【００４７】
さらに、呼び登録装置１０は、上記ＳＤ４０２にて通信指令信号を返信した後、記憶部１０ｄに格納されている呼び登録基準値を電波強度比較判定部１０ｆが取得する（ＳＤ４０３）。その後、呼び登録装置１０は、携帯端末２０からの呼び登録指令信号の受信を待ち受ける（ＳＤ４０４）。そして、呼び登録装置１０は、携帯端末２０から送信された呼び登録指令信号を受信できない場合（ＳＤ４０４／ＮＯ）、制御部１０ｇが経過時間のカウントを開始する（ＳＤ４０５）。
【００４８】
ＳＤ４０５による経過時間のカウントが、予め定めた所定時間を経過した場合は（ＳＤ４０５／ＹＥＳ）、呼び登録装置１０による携帯端末２０からの呼び登録処理を終了する。一方、呼び登録装置１０は、ＳＤ４０５による経過時間のカウントが、予め定めた所定時間を経過しない場合は（ＳＤ４０５／ＮＯ）、上記ＳＤ４０４へ戻り、携帯端末２０からの呼び登録指令信号の受信を待ち受ける。
【００４９】
呼び登録装置１０の送受信部１０ｂにて、携帯端末２０から送信された呼び登録指令信号を受信した場合は（ＳＤ４０４／ＹＥＳ）、呼び登録装置１０の電波強度比較判定部１０ｆにより、呼び登録指令信号中の電波受信強度Ｓの値と、記憶部１０ｄから取得した呼び登録基準値とを比較する（ＳＤ４０６）。そして、電波強度比較判定部１０ｆにより、電波受信強度Ｓの値が呼び登録基準値より小さい（＜）と判定した場合は（ＳＤ４０６／ＮＯ）、上記ＳＤ４０４へ戻り、再度、携帯端末２０からの呼び登録指令信号の受信を待ち受ける。
【００５０】
一方、電波強度比較判定部１０ｆにより、電波受信強度Ｓの値が呼び登録基準値以上（≧）と判定した場合は（ＳＤ４０６／ＹＥＳ）、呼び登録指令部１０ａが、エレベータ制御部３に対して、制御部１０ｇを介して呼び登録指令を行う（ＳＤ４０７）。呼び登録装置１０は、ＳＤ４０７にてエレベータ制御部３への呼び登録指令を行った後、乗りかご２の呼び登録が完了したことを示す呼び登録完了信号を通信指令部１０ｃから送信し（ＳＤ４０８）、呼び登録装置１０による呼び登録処理を終了する。
【００５１】
上述したように上記一実施形態係るエレベータシステムによれば、携帯端末２０と呼び登録装置１０との間で通信指令信号の送受信を行い無線通信を確立させてから、乗りかご２の呼び登録を行う距離Ｄで携帯端末２０を利用者Ｃが所持して待機する。そして、この距離Ｄの位置で、利用者Ｃが電波強度基準値を携帯端末２０に登録すると、直近に受信した通信指令信号の電波受信強度Ｓが測定され、これら電波受信強度Ｓの値および電波強度基準値が電波強度基準値登録指令信号として呼び登録装置１０へ送信される。すると、呼び登録装置１０が、携帯端末２０から受信した電波強度基準値登録指令信号中の電波受信強度Ｓの値を記憶部１０ｄに格納し、距離Ｄに対応した電波受信強度Ｓの値が、呼び登録装置１０に記憶される。したがって、保守員である利用者Ｃは、エレベータ１毎に、携帯端末２０を用いて呼び登録をする際の距離Ｄの初期設定を行うことができる。
【００５２】
また、呼び登録装置１０の送受信部１０ｂにて、携帯端末２０から送信された呼び登録指令信号を受信し、さらに呼び登録装置１０の電波強度比較判定部１０ｆにより、記憶部１０ｄに格納した呼び登録基準値と、携帯端末２０から受信した呼び登録指令信号中の電波受信強度Ｓの値とを比較し、呼び登録基準値が電波受信強度Ｓの値以上と判定された場合に、呼び登録装置１０の呼び登録指令部１０ａがエレベータ制御部３に対して呼び登録を行うようにしている。
【００５３】
この結果、エレベータ１の仕様や、エレベータホール９の形状等のエレベータ１の設置環境等に応じ、エレベータ１毎に、エレベータドア１３からの距離Ｄに基づいて定めた呼び登録基準値に基づき、携帯端末２０を用いた乗りかご２の呼び登録を可能にできる。よって、エレベータ１を利用する一般の利用者Ｃは、エレベータ１の仕様や呼び登録装置１０の設置環境等に影響を受けることなく、所有する携帯端末２０を用いて乗りかご２の呼び登録を確実に行うことができる。
【００５４】
さらに、呼び登録装置１０との無線通信が確立したことを示す通信指令信号を携帯端末２０が受信した場合に、初期設定時においては、電波強度計測部２０ｄにて計測した電波受信強度Ｓの値とともに、電波強度基準値を呼び登録装置１０へ送信する。一方、呼び登録時においては、電波強度計測部２０ｄにて計測した電波受信強度Ｓの値とともに、乗りかご２の呼び登録に関するデータ信号を、呼び登録指令信号として呼び登録装置１０へ送信するようにしている。
【００５５】
この結果、呼び登録装置１０にて受信する電波受信強度Ｓの値が、初期設定時または呼び登録時かどうか容易に判断することができるため、呼び登録装置１０の初期設定時および呼び登録時の制御を確実かつ適切に行うことができる。
【００５６】
なお、本発明は前述した実施形態に限定されるものではなく、様々な変形態様が含まれる。例えば、前述した実施形態は、本発明を分りやすく説明するために説明したものであり、本発明は、必ずしも説明した全ての構成を備えるものに限定されるものではない。
【００５７】
特に、上述した一実施形態において、利用者Ｃがエレベータ１に向かっていると合理的に判断できる距離Ｄを３ｍとし、この距離Ｄを介して携帯端末２０が呼び登録装置１０からの電波を受信したときの電波受信強度Ｓの値を、３０ｄＢとしている。しかしながら、エレベータ１を利用する一般の利用者Ｃの要望や使い勝手等に応じて距離Ｄを適宜変更することができ、また距離Ｄおよび呼び登録装置１０の設置環境によって電波受信強度Ｓが変動するため、エレベータ１の設置環境、すなわちエレベータホール９の形状等に応じて、対応させて用いることができる。
【００５８】
また、携帯端末２０にインストールされた呼び登録アプリケーションを起動すると、携帯端末２０から通信指令信号を送信するようにしている。しかしながら、例えば、利用者Ｃが携帯端末２０の電源を入れたときや、呼び登録アプリケーション起動後に所定の釦（図示せず）を押す等して操作したときに、携帯端末２０が通信指令信号を送信するようにしてもよい。
【符号の説明】
【００５９】
１    エレベータ
２    乗りかご
３    エレベータ制御部
９    エレベータホール
１０  呼び登録装置
１０ａ  呼び登録指令部
１０ｂ  送受信部
１０ｅ  電波強度格納部
１３  エレベータドア
２０  携帯端末
【図１】
0006370259.tif 000002
【図２】
0006370259.tif 000003
【図３】
0006370259.tif 000004
【図４】
0006370259.tif 000005